(57)【要約】【課題】簡易な構成により、板材のワークを安定した状態で起立状態に容易に保持できるスタンド装置を提供する。【解決手段】スタンド装置１０は、平板状又は断面コ字状のワーク１１、１２底部の両端部に装着され、ワーク１１、１２を起立状態に保持するための一対のスタンド本体１３により構成されている。前記スタンド本体１３の一端側には単板状のワーク１１を係止する係止部材１４及びその係止部材１４に係止されたワーク１１を固定する固定用ボルト１６が設けられている。一方、スタンド本体１３の他端側には主壁１２ａとその両端部の側壁１２ｂとにより断面コ字状をなすワーク１２の側壁１２ｂの孔１２ｄに挿入される連結用ボルト２１の軸部が挿通される挿通孔部２３とワーク１２の側壁１２ｂの孔１２ｃに挿入されるピン２０とを有している。【選択図】図１
0003201752.tif 000002
【実用新案登録請求の範囲】
【請求項１】
ワーク両端部の下部に装着され、ワークを起立状態に保持するためのスタンド本体を備えたスタンド装置であって、
前記スタンド本体の一端側には板状のワークを把持する把持部を備えるとともに、他端側にはワークの側壁の孔に連結される連結部を備えるスタンド装置。
【請求項２】
前記把持部は、基板とその両端部の側板によりチャンネル状に形成された係止部材と、前記側板のねじ孔に螺入された固定用ボルトとを有する請求項１に記載のスタンド装置。
【請求項３】
前記固定用ボルトの軸部の先端部にはワークを押圧する押圧板が設けられるとともに、その押圧板及び側板の内面には互いに対向する緩衝板が貼着されている請求項２に記載のスタンド装置。
【請求項４】
前記スタンド本体の他端側には挿通孔部とピンとが間隔をおいて設けられるとともに、ピンはスタンド本体の係止部材と同じ側に突設されている請求項１から請求項３のいずれか１項に記載のスタンド装置。
【請求項５】
前記ピンはワークの側壁の孔に挿入されるとともに、挿通孔部には連結用ボルトが挿通されてそのボルトがさらにワークの側壁の孔に挿通されてナットが螺合される請求項４に記載のスタンド装置。
【考案の詳細な説明】
【技術分野】
【０００１】
本考案は、板状のワークを起立状態に保持するためのスタンド装置に関する。
【背景技術】
【０００２】
この種のスタンド装置として、例えば標識スタンド装置が特許文献１に開示されている。この標識スタンド装置は、基盤部材を備え、基盤部材の内部に水、砂等のバラストを収容する区画室を有している。
【先行技術文献】
【特許文献】
【０００３】
【特許文献１】特表２０００−５１２０３８号公報
【考案の概要】
【考案が解決しようとする課題】
【０００４】
前記特許文献１に記載されている従来構成の標識スタンド装置においては、基盤部材内にはバラストとして水や砂を充填しなければならず、そのような作業が面倒であるとともに、基盤部材の構成が複雑になっている。加えて、標識部材は基盤部材の溝内に立てる必要があるため、標識部材と溝との位置合わせが必要になり、その作業が面倒であった。
【０００５】
そこで、本考案の目的とするところは、簡易な構成により、板材のワークを安定した状態で起立状態に容易に保持できるスタンド装置を提供することにある。
【課題を解決するための手段】
【０００６】
上記の目的を達成するために、本考案のスタンド装置は、ワーク両端部の下部に装着され、ワークを起立状態に保持するためのスタンド本体を備えたスタンド装置であって、前記スタンド本体の一端側には板状のワークを把持する把持部を備えるとともに、他端側にはワークの側壁の孔に連結される連結部を備える。
【０００７】
このため、平板状のワークを起立状態に保持する場合には、ワーク両端の下部にそれぞれスタンド本体を配置し、ワークの両幅端部の下端部をスタンド本体の把持部で把持すれば、スタンド本体がワークの脚として機能する。
【０００８】
また、側壁を有するワークを起立状態に保持する場合には、ワークの両側壁の孔にそれぞれスタンド本体の連結部を連結すれば、スタンド本体がワークの脚となってワークの起立状態を維持できる。
【０００９】
前記把持部は、基板とその両端部の側板によりチャンネル状に形成された係止部材と、前記側板のねじ孔に螺入された固定用ボルトとを有することが好ましい。
前記固定用ボルトの軸部の先端部にはワークを押圧する押圧板が設けられるとともに、その押圧板及び側板の内面には互いに対向する緩衝板が貼着されていることが好ましい。
【００１０】
前記スタンド本体の他端側には挿通孔部とピンとが間隔をおいて設けられるとともに、ピンはスタンド本体の係止部材と同じ側に突設されていることが好ましい。
前記ピンはワークの側壁の孔に挿入されるとともに、挿通孔部には連結用ボルトが挿通されてそのボルトがさらにワークの側壁の孔に挿通されてナットが螺合されることが好ましい。
【考案の効果】
【００１１】
本考案のスタンド装置によれば、簡易な構成により、板材のワークを安定した状態で起立状態に容易に保持できるという効果を奏する。
【図面の簡単な説明】
【００１２】
【図１】実施形態におけるスタンド装置を使用し、２種類のワークを起立状態に保持する状態を示す平面図。
【図２】スタンド装置を構成する一方のスタンド本体にワークの底部を固定した状態を示す斜視図。
【考案を実施するための形態】
【００１３】
以下、本考案の実施形態を図１及び図２に基づいて詳細に説明する。なお、この図１及び図２においては、単板状のワーク１１及び側壁を有する板状のワーク１２の双方がスタンド装置１０によって起立された状態が示されているが、実際には、スタンド装置１０は、一種類のワークを起立させるために用いられる。
【００１４】
図１に示すように、スタンド装置１０は、単板状のワーク１１又は主壁１２ａとその両端の側壁１２ｂとを備えた板状のワーク１２の両端の底部に装着され、これらのワーク１１、１２を起立状態に保持する。
【００１５】
図２に示すように、前記スタンド装置１０のスタンド本体１３は鋼材により断面略Ｃ字状に形成され、その一端部の外面には基板１４ａとその両端の側板１４ｂ、１４ｃによりチャンネル状に形成された係止部材１４の前記基板１４ａが溶接されている。前記係止部材１４の外端側の側板１４ｂにはねじ孔１４ｄが設けられ、そのねじ孔１４ｄにはワーク１１を固定する固定用ボルト１６が螺入されている。この係止部材１４と固定用ボルト１６とにより把持部が構成されている。
【００１６】
前記固定用ボルト１６の先端には、ワーク１１を押圧する押圧板１８が取付けられている。この押圧板１８には緩衝板としてのゴム板１７が貼着されている。また、前記係止部材１４の内端側の側板１４ｃの内面には緩衝板としてのゴム板１９が貼着されている。
【００１７】
前記スタンド本体１３の他端部には、ワーク１２の側壁１２ｂの孔１２ｃに挿入されるピン２０が突設されている。さらに、スタンド本体１３の他端部には、ワーク１２の側壁１２ｂの孔１２ｄに挿入される連結用ボルト２１が挿通される挿通孔部２３が形成されている。連結用ボルト２１は挿通孔部２３を通り、ワーク１２の側壁１２ｂの孔１２ｄに挿通された状態で、同ボルト２１にナット２４が螺合される。前記ピン２０と挿通孔部２３とは間隔をおいて配設されている。このピン２０や連結用ボルト２１により、連結部が構成されている。
【００１８】
次に、前述のように構成された実施形態におけるスタンド装置１０の使用方法を作用とともに説明する。
さて、図１に示すように、平板状のワーク１１を起立状態に保持する場合には、ワーク１１両端の下部にそれぞれスタンド本体１３を配置し、ワーク１１の両幅端部の下端部をスタンド本体１３の係止部材１４内に挿入する。その状態で、固定用ボルト１６を締付ける。このようにすれば、スタンド本体１３がワーク１１の下部の両端を把持した状態で、ワーク１１の幅方向とは異なる方向に延びて、ワーク１１の脚として機能する。
【００１９】
このように、ワーク１１の両幅端部をスタンド本体１３の係止部材１４内に挿入して固定用ボルト１６を締付けるという簡単な操作で、図２の一点鎖線に示すようにワーク１１を起立状態に保持することができる。
【００２０】
また、図１に示すように、側壁１２ｂを有するワーク１２を起立状態に保持する場合には、ワーク１２の両側壁１２ｂの孔１２ｃにスタンド本体１３のピン２０を挿入し、連結用ボルト２１をスタンド本体１３の挿通孔部２３を通し、さらにワーク１２の側壁１２ｂの孔１２ｄに通す。その状態で、連結用ボルト２１にナット２４を螺合する。
【００２１】
このように、ワーク１２の両側壁１２ｂにスタンド本体１３のピン２０を係止し、連結用ボルト２１を通してナットで止めるという簡単な操作で、図２の二点鎖線に示すようにスタンド本体１３をワーク１２に連結して、ワーク１２を起立状態に保持することができる。
【００２２】
以上の実施形態によって発揮される効果を以下にまとめて記載する。
（１）この実施形態のスタンド装置１０では、スタンド本体１３の一端側に平板状のワーク１１を係止する係止部材１４及びワーク１１を固定する固定用ボルト１６が設けられている。加えて、スタンド本体１３の他端側には連結用ボルト２１が挿通される挿通孔部２３とワーク１２の孔１２ｃに挿入されるピン２０とが設けられている。
【００２３】
このため、平板状のワーク１１をスタンド本体１３の一端側で係止部材１４と固定用ボルト１６により固定できるとともに、側壁１２ｂを有するワーク１２をスタンド本体１３の他端側でピン２０と連結用ボルト２１により固定することができる。
【００２４】
従って、本実施形態のスタンド装置１０によれば、簡易な構成により、異なる種類の板状のワーク１１、１２を安定した状態で起立状態に容易に保持することができる。
（２）係止部材１４はチャンネル状に形成され、側板１４ｂに設けられたねじ孔１４ｄには固定用ボルト１６が螺入されている。そのため、平板状のワーク１１の端部を係止部材１４内に係入し、固定用ボルト１６を螺入することにより、ワーク１１の端部を簡易かつ迅速に固定することができる。
【００２５】
（３）前記固定用ボルト１６の先端部の押圧板１８にはゴム板１７が貼着されるとともに、係止部材１４の側板１４ｃの内面にはゴム板１９が貼着されている。従って、ワーク１１の端部に傷を付けることなく、ワーク１１を挟着する挟着力を確保することができる。
【００２６】
（４）前記スタンド本体１３の他端側には挿通孔部２３とピン２０とが間隔をおいて設けられている。このため、側壁１２ｂを有するワーク１２を安定して起立状態に保持できる。
【００２７】
（５）前記ピン２０はワーク１２の側壁１２ｂの孔１２ｃに挿入されるとともに、挿通孔部２３には連結用ボルト２１が挿通されてその軸部がさらにワーク１２の側壁１２ｂの孔１２ｄに挿通されてナット２４が螺合される。そのため、ピン２０を挿入して位置決めした後、連結用ボルト２１を挿通してナット２４で締付けるという簡単な操作により、ワーク１２の端部を固定することができる。
【００２８】
なお、前記実施形態を次のように変更して具体化することも可能である。
・前記スタンド本体１３の他端側において、ピン２０に代えて挿通孔部２３を設けてもよい。すなわち、スタンド本体１３の他端側には一対の挿通孔部２３を設け、一対の連結用ボルト２１とナット２４によりワーク１２の側壁１２ｂをスタンド本体１３に固定してもよい。
【００２９】
・前記スタンド本体１３を、平面コ字状、平面Ｌ字状等の形状に形成してもよい。
・前記緩衝板として、ゴム板１７、１９に代えて、軟質樹脂、熱可塑性エラストマー等の板材を使用してもよい。
【符号の説明】
【００３０】
１０…スタンド装置、１１、１２…ワーク、１２ｂ…側壁、１２ｃ、１２ｄ…孔、１３…スタンド本体、１４…係止部材、１４ａ…基板、１４ｂ、１４ｃ…側板、１４ｄ…ねじ孔、１６…固定用ボルト、１８…押圧板、１９…緩衝板としてのゴム板、２０…ピン、２１…連結用ボルト、２３…挿通孔部。
【図１】
0003201752.tif 000003
【図２】
0003201752.tif 000004